(57)【特許請求の範囲】
【請求項１】
インペラと該インペラを駆動するためのモータとを含む基部と、
前記基部に接続され、少なくとも１つの空気入口と、少なくとも１つの空気出口と、送風機の外側からの空気が、該少なくとも１つの空気出口から噴出する空気によって引き込まれる時に通るボアを形成する環状ケーシングと、該ボアを通して引き込まれた該空気を処理するために該ケーシング内に位置付けられたイオン化器とを含むノズルと、
を含むことを特徴とする送風機。
【請求項２】
前記イオン化器は、前記ノズルの前記ボア内に少なくとも部分的に位置付けられることを特徴とする請求項１に記載の送風機。
【請求項３】
前記イオン化器は、前記ノズルの前記ボアから取外し可能なカートリッジ内に収容されることを特徴とする請求項１又は請求項２に記載の送風機。
【請求項４】
前記少なくとも１つの空気出口は、前記イオン化器から離れる方向に空気を噴出するように配置されることを特徴とする請求項１から請求項３のいずれか１項に記載の送風機。
【請求項５】
前記ノズルは、空気が前記少なくとも１つの空気出口から噴出される方向の前端と該前端の反対側の後端とを有し、
前記少なくとも１つの空気出口は、前記前端と前記後端の間に位置付けられる、
ことを特徴とする請求項１から請求項４のいずれか１項に記載の送風機。
【請求項６】
前記イオン化器は、前記ノズルの前記少なくとも１つの空気出口と前記後端との間に位置付けられることを特徴とする請求項５に記載の送風機。
【請求項７】
前記少なくとも１つの空気出口は、前記ノズルの前記ボアを横切って延びることを特徴とする請求項１から請求項６のいずれか１項に記載の送風機。
【請求項８】
前記少なくとも１つの空気出口は、各空気出口が前記ノズルの前記ボアを横切って延びる複数の空気出口を含むことを特徴とする請求項１から請求項７のいずれか１項に記載の送風機。
【請求項９】
各空気出口が、スロットの形態であることを特徴とする請求項８に記載の送風機。
【請求項１０】
前記空気出口は、実質的に平行であることを特徴とする請求項８又は請求項９に記載の送風機。
【請求項１１】
前記ノズルは、空気を前記少なくとも１つの空気入口から前記少なくとも１つの空気出口に向けて搬送するための少なくとも１つの空気通路を含むことを特徴とする請求項１から請求項１０のいずれか１項に記載の送風機。
【請求項１２】
前記少なくとも１つの空気通路の少なくとも一部が、前記電気集塵器の周りに少なくとも部分的に延びることを特徴とする請求項１１に記載の送風機。
【請求項１３】
前記少なくとも１つの空気通路は、前記少なくとも１つの空気入口を通して送風機の中に吸い込まれる空気を処理するための空気処理手段を含むことを特徴とする請求項１１又は請求項１２に記載の送風機。
【請求項１４】
前記空気処理手段は、空気フィルタを含むことを特徴とする請求項１３に記載の送風機。
【請求項１５】
前記少なくとも１つの空気入口は、空気を送風機の中に受け入れるように配置されることを特徴とする請求項１１から請求項１４のいずれか１項に記載の送風機。
【請求項１６】
前記ノズルは、空気を前記基部に搬送するための空気出口ポートと該基部から空気を受け入れるための空気入口ポートとを含むことを特徴とする請求項１５に記載の送風機。
【請求項１７】
前記少なくとも１つの空気通路は、空気を前記少なくとも１つの空気入口から前記空気出口ポートまで搬送するための第１の空気通路と、空気を前記空気入口ポートから前記少なくとも１つの空気出口まで搬送するための第２の空気通路とを含むことを特徴とする請求項１６に記載の送風機。
【請求項１８】
前記第２の空気通路の少なくとも一部が、前記ノズルの前記ボアを横切って延びることを特徴とする請求項１７に記載の送風機。
【請求項１９】
前記第２の空気通路の前記少なくとも一部は、前記ボアの中心軸線に対して直角の方向に延びることを特徴とする請求項１８に記載の送風機。
【請求項２０】
前記第２の空気通路は、各部分が前記ノズルの前記ボアを横切って延びる複数の部分を含み、前記少なくとも１つの空気出口は、各空気出口が該第２の空気通路のそれぞれの部分に位置付けられた複数の空気出口を含むことを特徴とする請求項１７から請求項１９のいずれか１項に記載の送風機。
【発明の詳細な説明】
【技術分野】
【０００１】
本発明は、送風機に関する。
【背景技術】
【０００２】
従来の家庭用扇風機は、典型的には、軸線周りに回転するように装着された１組のブレード又はベーンと、空気流を発生させるようにブレードの組を回転させるための駆動装置とを含む。空気流の移動及び循環は、「風冷」又は微風を生成し、その結果、熱が対流及び蒸発により消散される時にユーザは冷却効果を体感する。ブレードは、一般的に、扇風機の使用中にユーザが回転ブレードと接触状態になるのを防止しながら空気流がハウジングを通過することを可能にするケージ内に位置付けられる。
【０００３】
ＵＳ  ２，４８８，４６７は、送風機組立体から空気を放出するためのケージに入れたブレードを使用しない送風機を説明している。代わりに、送風機組立体は、基部を含み、基部は、空気流を基部の中に吸い込むための電動式インペラと、基部に接続され、かつ送風機から空気流を噴出するためにノズルの前部に位置付けられた環状出口を各々が含む一連の同心状の環状ノズルとを収容する。各ノズルは、ボア軸線の周りに延びて、ノズルがその周りに延びるボアを形成する。
【０００４】
各ノズルは翼の形状である。翼は、ノズルの後部に位置付けられた前縁、ノズルの前部に位置付けられた後縁、及び前縁と後縁の間を延びる翼弦線を有すると考えることができる。ＵＳ  ２，４８８，４６７では、各ノズルの翼弦線は、ノズルのボア軸線に平行である。空気出口は、翼弦線上に位置付けられ、ノズルから離れる方向にかつ翼弦線に沿って延びる方向に空気流を噴出するように配置される。
【０００５】
送風機組立体から空気を放出するためにケージに入れたブレードを使用しない別の送風機組立体は、ＷＯ  ２０１０／１００４５１に説明されている。この送風機組立体は、円筒形の基部を含み、これも同じく、１次空気流を基部の中に吸い込むための電動式インペラと、基部に接続されて、１次空気流が送風機から噴出される環状口部を含む単一の環状ノズルとを収容する。ノズルは、送風機組立体の局所環境中の空気が口部から噴出する１次空気流によって引き込まれて１次空気流を増幅する開口部を形成する。ノズルは、１次空気流を差し向けるように口部が上に配置されたコアンダ面を含む。コアンダ面は、送風機組立体によって発生する空気流が円筒形又は切頭円錐状プロフィールを有する環状噴流の形態であるように、開口部の中心軸線の周りに対称的に延びる。
【０００６】
ＧＢ  ２，４７９，７６０は、ＷＯ  ２０１０／１００４５１に説明する送風機組立体の変更を説明している。送風機組立体の円筒形基部は、高さが増大し、１次空気流から微粒子をそれが環状ノズルに入る前に除去するための静電フィルタを収容する。静電フィルタは、送風機組立体の基部に位置付けられた電気誘導起電機に接続され、従って、電気誘導起電機によって発生する電力が、静電フィルタに供給される。
【先行技術文献】
【特許文献】
【０００７】
【特許文献１】ＵＳ  ２，４８８，４６７
【特許文献２】ＷＯ  ２０１０／１００４５１
【特許文献３】ＧＢ  ２，４７９，７６０
【発明の概要】
【課題を解決するための手段】
【０００８】
第１の態様において、本発明は、インペラとインペラを駆動するためのモータとを含む基部と、基部に接続され、少なくとも１つの空気入口、少なくとも１つの空気出口、送風機の外側からの空気が上述の少なくとも１つの空気出口から噴出する空気によって引き込まれる通路を形成するケーシング、及び通路を通して引き込まれた空気を処理するための電気集塵器を含むノズルとを含む送風機を提供する。
【０００９】
通路は、好ましくは、ノズルの封入通路である。ケーシングは、好ましくは、環状ケーシングの形態であり、従って、通路は、好ましくは、ケーシングによって形成されたボアであり、それを通して、送風機の外側からの空気は、空気出口から噴出する空気によって引き込まれる。
【００１０】
第２の態様において、本発明は、インペラとインペラを駆動するためのモータとを含む基部と、基部に接続され、少なくとも１つの空気入口、少なくとも１つの空気出口、送風機の外側からの空気が上述の少なくとも１つの空気出口から噴出する空気によって引き込まれるボアを形成する環状ケーシング、及びボアを通して引き込まれた空気を処理するための電気集塵器を含むノズルとを含む送風機を提供する。
【００１１】
以下で１次空気流と呼ぶノズルの空気出口から噴出する空気は、ノズルを取り囲む空気を同伴し、これは、従って、空気増幅器として作用し、１次空気流及び同伴空気の両方をユーザに供給する。同伴空気は、本明細書では以下に２次空気流と呼ぶ。２次空気流は、室内空間、領域、又はノズルを取り囲む外部環境から引き込まれる。２次空気流の一部は、ノズルのボアを通して引き込まれることになり、２次空気流の一部は、ノズルから下流の１次空気流内で同伴されることになる。１次空気流は、同伴２次空気流と合体し、ノズルの前部から前方に放出される合体又は全体空気流を形成する。
【００１２】
ノズルのボアを通して引き込まれる空気の流量は、ノズルの空気出口から噴出する１次空気流の流量の少なくとも３倍、好ましくは、少なくとも５倍、好ましい実施形態では約８倍とすることができる。１次空気流を処理することとは対照的に、２次空気流のボアを通して引き込まれる部分を処理するための電気集塵器を提供することで、電気集塵器によって処理される送風機によって発生する空気流全体の割合を有意に増加させることができる。
【００１３】
電気集塵器は、好ましくは、ノズルのケーシング内に位置付けられる。電気集塵器の少なくとも一部は、好ましくは、ノズルのボア内に位置付けられる。一実施形態において、電気集塵器は、ケーシングが電気集塵器の周りに延びるようにノズルのボア内に完全に収容される。別の実施形態において、電気集塵器の１つの部分は、ノズルのボアに収容され、電気集塵器の別の部分は、ノズルの環状ケーシング部の間に収容される。
【００１４】
電気集塵器は、空気が空気出口から噴出する空気によって引き込まれる時に通る２段電気集塵器とすることができる。電気集塵器は、従って、帯電部を通して引き込まれる空気流内の塵埃、花粉、及び煙のような帯電微粒子に対する帯電部と、空気流から帯電微粒子を除去するために帯電部から下流の収集部とを含むことができる。帯電部及び収集部の各々は、ノズルのボアに位置付けることができる。代替的に、収集部は、ノズルのボアに位置付けることができ、帯電部は、ノズルの環状ケーシング部の間に収容することができる。
【００１５】
帯電部は、空気流をイオン化するために電界を発生させる手段を含むことができる。一実施形態において、帯電部は、水のような導電性流体が複数のノズル又は毛細管に供給され、強電圧がノズル又は流体に印加され、流体をイオン化し、同時にノズル開口からスプレーすることを可能にする電気スプレー帯電技術を利用する。噴出されたイオンは分散し、ボアを通して引き込まれた空気内の微粒子と相互作用し、電荷をそれらの微粒子に伝達することを可能にする。ノズルは、完全にボア内に位置付けることができ、又はそれらは、ボアの周りに延びるチャンバ又は空気流路に収容することができる。ノズルの出口は、好ましくは、開口を通してノズルのボアの中にイオンをスプレーするように、ボアを形成する壁に設けられた開口に隣接して位置付けられる。代替的に、ノズルは、ボア内に配置されてボアを横切って延びる１つ又はそれよりも多くの横列、縦列、又は細長構成に配置することができる。
【００１６】
収集部は、好ましくは、複数のプレートを含む。負電圧又は正電圧を交互プレートに印加し、プレートの間に電界を発生させることができる。空気流が、帯電部から収集部に入ると、帯電微粒子は、プレートに引きつけられてプレートの上に集まる。プレートは、好ましくは、ノズルのボア内に位置付けられ、好ましくは、ノズルのボアを横切って延びる。プレートは、好ましくは、平行である。
【００１７】
電気集塵器は、ノズルのボアから取外し可能であるカートリッジに収容することができる。これは、送風機を分解する必要なく必要に応じて例えば定期的清掃又は交換のためにノズルのボアから電気集塵器を引き出すことを可能にすることができる。帯電部は、カートリッジの帯電部チャンバに収容することができる。帯電部チャンバは、ボアを通して引き込まれた空気流を電気集塵器の収集部の方向に搬送するための中心通路を形成するために環状の形状とすることができる。このチャンバは、ノズルがイオン化流体を空気流の中にスプレーする複数の開口を含むことができる。基部は、好ましくは、第１のＤＣ電圧を電気集塵器の帯電部に供給するための第１の電圧供給源と、第２のＤＣ電圧を電気集塵器の収集部に供給するための第２の電圧供給源とを含む。カートリッジの外面には、ノズルのケーシング上に設けられた接点と係合して電圧供給源を電気集塵器に接続するための電気接点を設けることができる。
【００１８】
メッシュグリルは、電気集塵器の中へのより大きな粒子又は他の物体の侵入を阻止するためにボアの後端に設けることができる。
【００１９】
空気出口は、電気集塵器から離れる方向に空気を噴出するように配置することができる。例えば、空気出口は、電気集塵器から下流に位置付けることができ、電気集塵器のプレートに実質的に平行な方向に空気を噴出するように配置することができる。ノズルは、空気が空気出口から噴出される方向の前端と、前端の反対側の後端とを有することができ、空気出口は、前端と後端の間に位置付けられる。ボアを通して引き込まれた空気流は、ノズルの後端から前端に移動する。電気集塵器は、空気出口とノズルの後端との間に位置付けることができる。
【００２０】
代替的に、空気出口は、電気集塵器の少なくとも一部の少なくとも片側に沿って空気を噴出するように配置することができる。例えば、ノズルは、電気集塵器の少なくとも一部の周囲に空気を噴出するように配置された環状空気出口を含むことができる。別の例として、ノズルは、電気集塵器のそれぞれの側面の少なくとも一部に沿って空気を噴出するように各々が配置された２つの空気出口を含むことができる。
【００２１】
空気出口は、電気集塵器のプレートに実質的に平行な方向に空気を噴出するように配置され、ノズルのボアを通して引き込まれる空気の流量を最大にすることができる。代替的に、空気出口は、実質的に電気集塵器のプレートに対して直角の方向に空気を噴出するように配置することができる。
【００２２】
空気出口は、好ましくは、ボアを横切って延びる。各空気出口は、好ましくは、スロットの形態であり、送風機は、複数の空気出口を含み、空気出口は、好ましくは、実質的に平行である。
【００２３】
ノズルは、好ましくは、空気を空気入口から空気出口の方向に搬送するために少なくとも１つの空気通路を含む。環状ケーシングは、環状内壁と内壁の周りに延びる外壁とを含むことができ、空気通路は、便宜上ケーシングの内壁と外壁の間に位置付けることができる。ケーシングの各壁は、単一の環状構成要素を含むことができる。代替的に、ノズルの壁の一方又は両方は、複数の接続環状部から形成することができる。内壁の一部分は、外壁の少なくとも一部と一体化することができる。空気通路は、好ましくは、少なくとも部分的に電気集塵器の周りに延びる。例えば、空気通路は、ノズルのボアを取り囲む環状通路とすることができ、従って、電気集塵器を取り囲むことができる。代替的に、空気通路は、各々がノズルのボアのそれぞれの側面に沿って及び従って電気集塵器のそれぞれの側面に沿って延びる複数の部分を含み、空気をそれぞれの空気入口から離れる方向に搬送することができる。
【００２４】
空気通路は、空気入口を通して送風機の中に吸い込まれる空気を処理するための手段を含むことができる。これは、１次空気流が空気出口から噴出される前に微粒子を１次空気流から除去することを可能にすることができる。空気処理手段は、少なくとも１つの空気フィルタを含むことができる。空気フィルタは、ＨＥＰＡフィルタ又は発泡体、炭素、紙、又は繊維性フィルタのような他の濾材の形態にすることができる。代替的に、空気フィルタは、電界を発生させて１次空気流内の微粒子をプレートのうちの１つに引きつけさせる１対のプレートを含むことができる。
【００２５】
ノズルの空気入口は、送風機の１つ又はそれよりも多くの空気入口を提供することができる。例えば、空気入口は、空気が送風機に入るノズルの外壁上に形成された複数の開口を含むことができる。この場合には、基部に位置付けられた電動式インペラは、ノズルの空気入口から基部に移動し、次に、基部からノズルの空気出口に移動する１次空気流を発生させる。ノズルは、従って、空気を基部に搬送するための空気出口ポートと、空気を基部から受け入れるための空気入口ポートとを含むことができる。この場合には、少なくとも１つの空気通路は、好ましくは、空気を空気入口から空気出口ポートに搬送するための第１の空気通路と、空気を空気入口ポートから空気出口に搬送するための第２の空気通路とを含む。上述のように、第１の空気通路は、ノズルのボアを取り囲む環状通路とすることができる。代替的に、第１の空気通路は、各々がノズルのボアのそれぞれの側面に沿って延びて、空気をノズルのそれぞれの空気入口から空気出口ポートの方向に搬送する複数の部分を含むことができる。第１の空気通路は、好ましくは、ケーシングの内壁と外壁の間に位置付けられる。第１の空気通路は、空気入口を通して送風機の中に吸い込まれる空気を処理するための手段を含むことができる。
【００２６】
ノズルは、空気入口ポートから受け入れた空気流のそれぞれの部分を各々が噴出するための複数の空気出口を含むことができる。代替的に、ノズルは、単一の空気出口を含むことができる。空気出口は、ノズルの内壁又は外壁に形成することができる。別の代替として、空気出口は、ケーシングの内壁と外壁の間に位置付けることができる。それらのいずれの場合も、第２の空気通路は、内壁と外壁の間に位置付けることができ、ケーシングの内壁と外壁の間に位置付けられた１つ又はそれよりも多くの分割壁によって第１の空気通路から隔離することができる。第１の空気通路と同様に、第２の空気通路は、ノズルのボアを取り囲む環状通路を含むことができる。代替的に、第２の空気通路は、各々がノズルのボアのそれぞれの側面に沿って延びて、空気を空気入口ポートからそれぞれの空気出口に搬送する複数の部分を含むことができる。
【００２７】
更に別の代替として、空気出口は、ノズルのボアに位置付けることができる。言い換えると、空気出口は、ノズルの内壁によって取り囲むことができる。空気出口は、従って、ボアの前側部内に位置付けることができ、電気集塵器は、空気出口が空気を電気集塵器から離れる方向に噴出するようにボアの後側部内に位置付けられる。代替的に、空気出口及び電気集塵器の各々は、共通部分、例えば、ボアの後側部に位置付けることができる。いずれの場合にも、電気集塵器は、ボアを通過する空気に対して空気出口から下流に位置付けることができる。別の例として、電気集塵器のプレートは、空気出口の周囲又はその片側に位置付けることができる。
【００２８】
第２の空気通路の少なくとも１つの出口部は、従って、少なくとも部分的にノズルのボアを横切って延び、空気を空気出口に搬送することができる。例えば、第２の空気通路の出口部は、ボアの下端とボアの上端の間を延びることができる。第２の空気通路の出口部は、ボアの中心軸線に対して直角の方向に延びることができる。好ましい実施形態において、第２の空気通路は、各々がノズルのボアを横切って延びて空気をそれぞれの空気出口に搬送する複数の柱状又は細長出口部を含む。第２の空気通路の出口部は、好ましくは、平行である。第２の空気通路の各出口部は、ボアを横切って延びるそれぞれの管状壁によって形成することができる。
【００２９】
第２の空気通路の各細長部の長さに沿って比較的均等な空気流を達成するために、出口部の各端部は、好ましくは、それぞれの空気入口を含む。第２の空気通路は、好ましくは、ボアの周りに延びて空気を第２の空気通路の各出口部の各端部の中に搬送するように配置された環状入口部を含む。これは、第２の空気通路の出口部の各端部において均等な空気圧を達成することができる。
【００３０】
各空気出口は、好ましくは、第２の空気通路のそれぞれの出口部に沿って延びるスロットの形態である。各空気出口は、好ましくは、第２の空気通路のそのそれぞれの出口部の前部に位置付けられ、空気をノズルの前端の方向に噴出する。
【００３１】
空気出口から噴出する空気流は、好ましくは、ノズルのボア内で融合しない。例えば、それらの空気流は、ノズルのボア内で互いに隔離することができる。ノズルのボアは、ボアを２つの部分に分けるための隔壁を含むことができ、各部分は、それぞれの空気出口を含む。この隔壁は、実質的にボアの軸線に平行な方向に延びることができ、実質的に電気集塵器の収集部のプレートに平行とすることができる。ボアの軸線を含み、かつボアの上端と下端の間の中間に位置付けられた平面において、各空気出口は、ノズルの隔壁と内壁との中間に位置付けることができる。各空気出口は、実質的に隔壁に平行に延びることができる。
【００３２】
本発明者は、ノズルのボアを通して引き込まれた空気が、ノズルの前端と後端の間に空気出口を位置付けたことにより比較的均等な流量で電気集塵器を通して流れることを可能にすることができることを見出した。空気出口とノズルの前端との間の好ましい距離は、空気出口の数の関数であるが、空気出口の数の増加によってノズルの深さを縮小することを可能にすることができ、これはまた、ノズルの複雑性を増すので、好ましい実施形態において、送風機は、ノズルのボア内及びノズルの前端と後端の間に各々が位置付けられた２つの空気出口を含む。この場合には、隔壁は、ボアを２つの等しい半分の部分に分けるように配置することができる。ボアの各部分内で、かつボアの軸線を含んでボアの上端と下端の間の中間に位置付けられた平面において、ボアの前端の方向に空気出口からボア軸線に平行に延びる第１の線と空気出口から隔壁の前端に延びる第２の線との間に内在する角度は、５°から２５°の範囲、好ましくは、１０°から２０°の範囲、より好ましくは、１０°から１５°の範囲にすることができる。角度は、空気がボアを通して引き込まれる速度を最大にするように選択される。
【００３３】
電気集塵器の収集部は省くことができ、そのために送風機が、ボアを通して引き込まれた空気を処理するための空気イオン化器を含む。従って、第３の態様において、本発明は、インペラとインペラを駆動するためのモータとを含む基部と、基部に接続されたノズルとを含む送風機を提供し、ノズルは、少なくとも１つの空気入口と、少なくとも１つの空気出口と、送風機の外側からの空気が上述の少なくとも１つの空気出口から噴出する空気によって引き込まれる通路を形成するケーシングと、通路を通して引き込まれた空気を処理するためのイオン化器とを含む。上述のように、通路は、好ましくは、ノズルの封入通路である。ケーシングは、好ましくは、環状ケーシングの形態であり、従って、通路は、好ましくは、ケーシングによって形成されたボアであり、それを通して送風機の外側からの空気は、空気出口から噴出する空気によって引き込まれる。
【００３４】
第４の態様において、本発明は、送風機組立体のためのノズルを提供し、ノズルは、空気入口と、複数の空気出口と、ノズルの外側からの空気が空気出口から噴出する空気によって引き込まれるボアを形成する環状内壁及び内壁の周りに延びる外壁を含む環状ケーシングとを含み、環状ケーシングは、空気を空気出口に搬送するための空気通路を含み、空気通路は、内壁と外壁の間に位置付けられてノズルのボアの周りに延びる入口部と、各々が空気をそれぞれの空気出口に搬送するためのボアを横切って延びる複数の出口部とを含み、空気通路の入口部は、出口部の各々の各端部に接続される。
【００３５】
第５態様において、本発明は、送風機組立体のためのノズルを提供し、ノズルは、少なくとも１つの空気入口と、複数の空気出口と、空気流を空気出口に搬送するための空気通路を含む環状ケーシングとを含み、ケーシングは、ノズルの外側からの空気が空気出口から噴出する空気によって引き込まれるボアを形成し、ボアは、前端と前端の反対側の後端とを有し、ケーシングは、ボアを２つの部分に分けるための隔壁を含み、ボアの各部分は、空気通路のそれぞれの出口部及びそれぞれの空気出口を含み、空気出口は、ボアの前端と後端の間に位置付けられる。
【００３６】
ノズルにおいて送風機の１つ又はそれよりも多くの空気入口を形成する代替の形態として、送風機の基部は、１次空気流が送風機に入る１つ又はそれよりも多くの空気入口を含むことができる。この場合には、空気通路は、ノズルの空気入口からノズルの空気出口までノズル内に延びることができる。空気通路は、ボアの周りに延びることができる。例えば、空気通路は、ノズルのボアを取り囲むことができる。ノズルは、少なくとも部分的にノズルのボアの周りに延び、好ましくは、ノズルのボアを取り囲む単一の空気出口を含むことができる。代替的に、ノズルは、各々が部分的にノズルのボアの周りに延びるようにノズルのそれぞれの側面上に位置付けられた複数の空気出口を含むことができる。空気出口は、ノズルの内壁と外壁の間に位置付けられた少なくとも１つのスロットを含むことができる。各スロットは、ノズルの前端と後端の間に位置付けられ、又はノズルの前端に位置付けることができる。
【００３７】
本発明の第１の態様又は第２の態様と共に上述した特徴は、本発明の他の態様の各々に同様に適用可能であり、逆も同じである。
【００３８】
本発明の実施形態をここで単に一例として添付の図面を参照して以下に説明する。
【図面の簡単な説明】
【００３９】
【図１】送風機の第１の実施形態の上から見た正面斜視図である。
【図２】送風機の上から見た背面斜視図である。
【図３】送風機の左側面図である。
【図４】送風機の平面図である。
【図５】送風機の主本体、電気集塵器、及び後側グリルの拡大図である。
【図６】電気集塵器の拡大図である。
【図７】前側グリルを取り外した送風機の正面図である。
【図８】後側グリルを取り外した送風機の平面図である。
【図９】図４の線Ａ−Ａに沿った側面断面図である。
【図１０】図３の線Ｂ−Ｂに沿った平面断面図である。
【図１１】送風機の第２の実施形態の上から見た正面斜視図である。
【図１２】図１１の送風機の上から見た背面斜視図である。
【図１３】図１１の送風機の正面図である。
【図１４】図１１の送風機の背面図である。
【図１５】図１１の送風機の平面図である。
【図１６】図１５の線Ｃ−Ｃに沿った側面断面図である。
【発明を実施するための形態】
【００４０】
図１から図４は、送風機１０の第１の実施形態の外観図である。送風機１０は、基部１２と基部１２上に装着されたノズル１４とを含む主本体を含む。ノズル１４は、１次空気流が送風機１０の中に吸い込まれる複数の空気入口１８を有する環状ケーシング１６を含むループの形態である。図示のように、各空気入口１８は、ケーシング１６に形成された複数の開口を含むことができる。代替的に、各空気入口１８は、ケーシング１６に取り付けられたメッシュ又はグリルを含むことができる。以下でより詳細に説明するように、ノズル１４は、１次空気流を送風機１０から噴出するために少なくとも１つの空気出口を含む。
【００４１】
同様に図５を参照すると、ケーシング１６は、ノズル１４のボア２０の周りに延びてこれを形成する。本実施例では、ボア２０は、その幅（ノズル１４の側壁の間を延びる方向に測定した時）よりも大きい高さ（ノズルの上端からノズル１４の下端まで延びる方向に測定した時）を有する略細長形状を有する。送風機１０からの１次空気流の噴出により、ノズル１４のボア２０を通して送風機１０の外側から空気を引き込む。
【００４２】
ノズル１４は、ノズル１４のボア２０を通して引き込まれた空気を処理するための電気集塵器２２を収容する。電気集塵器２２は、ノズル１４のボア２０の後側部の中に挿入可能な、好ましくは、これから取外し可能な環状カートリッジ２４に収容される。１対のグリル２６、２８は、ノズル１４の前端及び後端それぞれに設けられて、電気集塵器２２への比較的大きな粒子又は他の物体の侵入を阻止することができる。
【００４３】
同様に図６から図８を参照すると、本実施例では、電気集塵器２２は、ノズル１４のボア２０を通して引き込まれた空気流内の塵埃、花粉、及び煙のような帯電微粒子に対する帯電部３０と、空気流から帯電微粒子を除去するために帯電部３０から下流にある収集部３２とを含む２段電気集塵器の形態である。帯電部３０は、カートリッジ２４の後端に位置付けられた環状帯電部チャンバ３４に収容される。帯電部３０は、帯電部チャンバ３４に形成されたそれぞれの開口３８に隣接して各々が位置付けられた複数のノズル３６を含む。各ノズル３６は、０．０５ｍｍから０．５ｍｍの範囲の直径を有する開口を有する。ノズル３６の各々は、カートリッジ２４の下側チャンバ部４４に収容された流体リザーバ４２からノズル３６に水又は空気のような流体を搬送する導管４０に接続される。ポンプは、流体をリザーバ４２からノズル３６に搬送するために設けられる。針状電極（図示せず）は、強電極電荷を与えるためにノズル３６の各々の中に挿入され、ノズル３６内の流体をイオン化し、同時にノズル開口から開口３８を通してスプレーすることを可能にする。代替的に、流体は、直接に、例えば、リザーバ４２内に帯電電極を設けることによって帯電させることができる。１つ又はそれよりも多くのワイヤ（図示せず）は、帯電部３０に対して１つ又はそれよりも多くの接地電極を提供する。基部１２は、第１のＤＣ電圧を針状電極に供給するための第１の電圧供給源（図示せず）を収容する。第１のＤＣ電圧は、５ｋＶから１５ｋＶの範囲にすることができる。一実施形態において、ノズル３６に供給された流体が水である場合には、第１のＤＣ電圧は約８ｋＶである。代替的に、第１の電圧供給源は、ＡＣ電圧を電極に供給するように構成することができる。
【００４４】
収集部３２は、複数の平行プレート４６を含む。プレート４６は、ステンレス鋼から形成することができる。同様に図１０を参照すると、プレート４６は、収集部３２を通して空気を搬送するためにプレート４６の間に一連の空気チャンネル４８を形成するように配置される。プレート４６は、各空気チャンネル４８が、実質的にボア２０の中心軸線Ｘに平行な方向にボア２０の前端の方向に延びるように整列する。本実施例では、プレート４６の間の間隔及び従って空気チャンネル４８の幅は、５ｍｍである。基部１２は、第２の、好ましくは、負のＤＣ電圧を交互プレート４６に供給するために第２の電圧供給源（図示せず）を収容し、隣接するプレート４６の間に電界を発生させる。本実施例では、第２の電圧供給源は、約−５ｋＶのＤＣ電圧を供給するように配置される。
【００４５】
カートリッジ２４は、カートリッジ２４の前端がケーシング１６の内面上に位置付けられた停止部材５０と当接するまでノズル１４のボア２０の中に挿入される。ケーシング１６は、環状内壁５４の周りに延びる外壁５２を含む。内壁５４は、ノズル１４のボア２０を形成する。本実施例では、内壁５４は、一端において外壁５２の前端に接続された前側内壁部５６と、他端において外壁５２と一体化された後側内壁部５８とを含む。停止部材５０は、後側内壁部５８の前端上に形成される。後側内壁部５８は、カートリッジ２４がノズル１４のボア２０の中に完全の中に挿入される時に、カートリッジ２４の外面上に位置付けられた電気接点の第２の組と係合する電気接点（図示せず）の第１の組を含む。図９を参照すると、電気接点の間の接点は、基部１２の主制御回路６０に設けられた電圧供給源を電気集塵器２２に結合する。電気を主制御回路６０に供給するための主電力ケーブル６２は、基部１２に形成された開口を通って延びる。ケーブル６２は、主電源に接続するためにプラグ（図示せず）に接続される。
【００４６】
主制御回路６０は、空気入口１８を通して送風機１０の中に空気を吸い込むためにインペラ６６を駆動するためのモータ６４に接続される。好ましくは、インペラ６６は、混合流インペラの形態である。モータ６４は、好ましくは、ダイヤル６８のユーザ操作に応答して主制御回路６０により可変の速度を有するＤＣブラシレスモータである。モータ６４は、インペラ６６から下流に拡散器７０を含むモータバケットに収容される。拡散器７０は、湾曲ブレードを有する環状ディスクの形態である。モータ６４は、主制御回路６０から拡散器７０を通してモータ６４に移動するケーブルによって主制御回路６０に接続される。モータバケットは、略切頭円錐状のインペラハウジング内に位置付けられかつこの上に装着され、これは、次に、基部１２に接続された複数の角度的に離間した支持体上に装着される。好ましくは、基部１２は、基部１２からのノイズ発生を低減するための消音発泡体を含む。この実施形態において、基部１２は、インペラハウジングの下に位置付けられた発泡体部材７２を含む。
【００４７】
本実施例では、基部１２は、ノズル１４から１次空気流を受け入れるために基部１２の後側部に位置付けられた第１の空気通路７４と、ノズル１４の空気出口を通して噴出するためのノズル１４に１次空気流を戻すために基部１２の前側部に位置付けられた第２の空気通路７６とを含む。１次空気流は、略反対方向に空気通路７４、７６を通過する。１次空気流は、第１の空気通路７４から空気通路７４、７６の下端に位置付けられた開口７８を通して第２の空気通路７６に移動する。モータ６４及びインペラ６６は、好ましくは、第２の空気通路７６に位置付けられる。
【００４８】
主制御回路６０は、基部１２を貫流する１次空気流から隔離された基部１２の下側チャンバ８０に位置付けられる。ケーブルは、下側チャンバ８０の開口を通って延び、主制御回路６０をモータ６４に及びノズル１４の内壁５４上に位置付けられた電気接点に接続する。
【００４９】
１次空気流は、ノズル１４の外壁５２の下端に位置付けられた空気出口ポート８２を通して基部１２の第１の空気通路７４に入る。ノズル１４は、空気を空気入口１８から空気出口ポート８２に搬送するための第１の空気通路８４を含む。第１の空気通路８４は、外壁５２と内壁５４の後側内壁部５８の間に位置付けられる。この実施形態において、第１の空気通路８４は、ノズル１４のボア２０及びボア２０の中に挿入された電気集塵器２２の両方を取り囲むループの形態である。しかし、第１の空気通路８４は、ボア２０の周りに完全に延びない場合があるので、空気出口ポート８２において融合する複数の部分を含むことができ、その各々は、空気をそれぞれの空気入口１８から空気出口ポート８２に搬送する。
【００５０】
図１０に示すように、任意的に、第１の空気通路８４は、空気入口１８を通して送風機１０の中に吸い込まれた１次空気流を処理するための手段を含むことができる。空気処理手段は、１つ又はそれよりも多くのフィルタを含むことができ、フィルタは、ＨＥＰＡ、発泡体、炭素、紙、又は繊維性濾材のうちの１つ又はそれよりも多くから形成することができる。この実施形態において、空気通路８４は、各組が空気出口ポート８２とそれぞれの空気入口１８との間に位置付けられるように第１の空気通路８４に配置された平行プレート８６の２組を含む。電圧は、カートリッジ２４内に位置付けられた第２の電圧供給源によって平行プレート８６の各組のプレートのうちの１つに供給することができ、ここでもまた、電気接点は、カートリッジ２４がノズル１４のボア２０の中に完全の中に挿入される時にプレートと第２の電圧供給源との間に確立することができる。代替的に、この電圧は、直接基部１２内に位置付けられた主制御回路６０によって供給することができる。電気集塵器２２の帯電部３０は、プレート８６から上流の１次空気流内で微粒子を帯電するように配置することができる。例えば、帯電部３０のノズル３６は、１次空気流の中に、例えば、後側内壁部５８上に設けられた開口を通してイオンを噴出するように配置することができる。
【００５１】
ノズル１４は、基部１２の第２の空気通路７６から１次空気流を受け入れるための空気入口ポート８８を含む。空気入口ポート８８はまた、ケーシング１６の外壁５２の下端に位置付けられる。空気入口ポート８８は、ノズル１４の第２の空気通路の中に１次空気流を搬送するように配置される。この実施形態において、第２の空気通路は、基部１２から１次空気流を受け入れるためのケーシング１６の外壁５２と前側内壁部５６との間に位置付けられた環状入口部９０を含む。第２の空気通路の入口部９０は、外壁５２と内壁５４の間を延びる環状分割壁９２によって第１の空気通路８４から隔離される。
【００５２】
第２の空気通路は、入口部９０から空気を受け入れるための２つの細長出口部９４を更に含む。各出口部９４は、電気集塵器２２の前部においてボア２０の前側部内に位置付けられたそれぞれの管状壁９６によって形成される。各管状壁９６は、前側内壁部５６の下端と前側内壁部５６の上端との間にノズル１４のボア２０を横切って延びる。各壁９６は、各々が第２の空気通路の入口部９０から空気を受け入れるための開放上端及び開放下端を有する。管状壁９６は、ノズル１４のボア２０内に並んで位置付けられ、各々は、ボア２０の中心軸線Ｘに対して直角の方向に延びる。
【００５３】
空気出口９８は、各管状壁９６の前端に形成される。各空気出口９８は、電気集塵器２２から離れる方向に、好ましくは、空気が電気集塵器２２のプレート４６の間に位置付けられた空気チャンネル４８を通過する方向に対して実質的に平行な方向に空気を噴出するように配置される。代替的に、プレート４６又は壁９６の向きは、空気出口９８が電気集塵器２２のプレート４６の間に位置付けられた空気チャンネル４８の方向に向いているように調節することができる。例えば、プレート４６は、空気出口９８が、電気集塵器２２のプレート４６の間に位置付けられた空気チャンネル４８に対して直角になるように向けることができる。各空気出口９８は、好ましくは、ボア２０の中心軸線Ｘに対して直角の方向に延びるスロットの形態である。各スロットは、実質的に各管状壁９６の全長を延び、その長さに沿って１ｍｍから５ｍｍの均一な幅を有する。
【００５４】
ボア２０の前側部は、ボア２０の中心を通ってボア２０の前側部の上端と下端の間を延びる隔壁１０２によって２つの等しい半分の部分１００に分けられる。図１０は、ボア２０の軸線Ｘを含む平面で見て、ボア２０の上端と下端の間の中間に位置付けられた時の送風機１０の平面断面図である。ボア２０の各部分１００により、空気出口９８は、前側内壁部５６と隔壁１０２の間の中間に位置付けられる。各空気出口９８はまた、好ましくは、ボア２０の前端の方向にボア２０の軸線Ｘに平行な空気出口９８から延びる第１の線Ｌ1と、空気出口９８から隔壁１０２の前端１０４まで延びる第２の線Ｌ2との間に内在する角度θが５°から２５°の範囲にあるように、ボア２０の前端の後に位置付けられる。この実施形態において、角度θは約１５°である。
【００５５】
送風機１０を作動させるために、ユーザは、基部１２上に位置付けられたボタン１０６を押圧する。ユーザインタフェース制御回路１０８は、この作動を主制御回路６０に伝え、それに応答して主制御回路６０は、モータ６４を起動してインペラ６６を回転させる。インペラ６６の回転により、空気入口１８を通して１次、すなわち、第１の空気流を送風機１０の中に吸い込ませる。ユーザは、モータ６４の速度、従って、ダイヤル６８を操作することによって空気が空気入口１８を通して送風機１０の中に吸い込まれる速度を制御することができる。モータ６４の速度に応じて、インペラ６０によって発生する空気流の流量は、１秒当たり１０リットルから４０リットルとすることができる。
【００５６】
１次空気流は、ノズル１４の第１の空気通路８４を通して引き込まれ、ノズル１４の空気出口ポート８２を通して基部１２に入る。１次空気流は、次に、空気入口ポート８８を通して基部１２から噴出する前に基部１２の第１の空気通路７４及び第２の空気通路７６を通過する。ノズル１４に戻ると、１次空気流は、ノズル１４の第２の空気通路に入る。第２の空気通路の環状入口部９０内で、１次空気流は、ノズル１４のボア２０の下側部の周囲の反対方向に搬送される２つの空気の流れに分けられる。各空気の流れの第１の部分は、管状壁９６の開放下端を通してそれぞれの出口部９４に入り、一方、各空気の流れの第２の部分は、管状入口部９０内に残る。空気の流れの第２の部分は、ノズル１４のボア２０の周りを通して、かつ管状壁９６の開放上端を通して出口部９４に入る。言い換えると、出口部９４は、空気の流れのそれぞれの部分を受け入れるための２つの空気入口各々を有する。空気の流れの一部分は、対向する方向に出口部９４に入る。空気の流れは、空気出口９８を通して出口部９４から噴出される。
【００５７】
空気出口９８からの空気流の噴出により、２次空気流を外部環境からの空気の同伴によって発生させる。空気は、ノズル１４のボア２０を通して、ノズル１４の周囲及びその前部の両方の環境から空気流の中に吸い込まれる。ノズル１４のボア２０を通して引き込まれた空気流は、電気集塵器２２の帯電部３０を通過し、かつ収集部３２のプレート４６の間の空気チャンネル４８を通過する。２次空気流は、ノズル１４から噴出する空気流と合体して送風機１０から前方に放出された合体又は全体空気流又は空気の流れを生成する。
【００５８】
ノズル１４のボア２０を通して引き込まれた空気から微粒子を除去するために、ユーザは、基部１２上に位置付けられたボタン１１０を押圧することによって電気集塵器２２を起動する。ユーザインタフェース制御回路１０８は、この作動を主制御回路６０に伝え、それに応答して主制御回路６０は、基部１２内に位置付けられた電圧供給源を起動する。第１の電圧供給源は、第１のＤＣ電圧を帯電部３０のノズル３６に接続された針状電極に供給し、第２の電圧供給源は、第２のＤＣ電圧を収集部３２の交互プレートに供給する。ポンプはまた、例えば、電圧供給源のうちの１つによって又は直接に主制御回路６０によって起動され、流体を帯電部３０のノズル３６に供給する。プレートの１つ又はそれよりも多くの対もノズル１４内の第１の空気通路８４内に位置付けられた場合、第２のＤＣ電圧はまた、プレートの各対のプレートの一方に供給することができる。
【００５９】
ノズル３６内に位置付けられた流体内の高電荷の発生により、流体をイオン化し、同時にノズル開口から開口３８を通してスプレーすることを可能にする。噴出されたイオンは、分散し、ボア２０を通して引き込まれた空気内の微粒子とそれが帯電部３０を通過する時に相互作用し、ノズル３６のうちの少なくとも１つは、１次空気流内で第１の空気通路８４の中にイオンを噴出するように配置される。カートリッジ２４内で、空気が、収集部３２のプレート４６の間に位置付けられた空気チャンネル４８を通過すると、帯電微粒子は、帯電プレート４６に引きつけられ、それらの上に集まり、一方、空気通路８４内では、帯電微粒子は、第１の空気通路８４に位置付けられた帯電プレートに引きつけられ、それらの上に集まる。
【００６０】
電気集塵器を含む送風機２００の第２の実施形態は、図１１から図１６に示されている。送風機１０と同様に、送風機２１０は、基部２１２と基部２１２上に装着されたノズル２１４とを含む。ノズル２１４はまた、環状ケーシング２１６を含むが、１次空気流が送風機２１０の中に吸い込まれる空気入口２１８は、ここでは、送風機２１０の基部２１２に位置付けられる。空気入口２１８は、基部２１２に形成された複数の開口を含む。
【００６１】
基部２１２は、実質的に円筒形の下側本体部２２２上に装着された実質的に円筒形の主本体部２２０を含む。主本体部２２０及び下側本体部２２２は、好ましくは、上側本体部２２０の外面が下側本体部２２２の外面と実質的に同一平面にあるように実質的に同じ外径を有する。主本体部２２０は、空気が送風機組立体１０に入る空気入口２１８を含む。主本体部は、送風機２１０の作動中に空気入口２１８を通して引き込まれた１次空気流がノズル２１４の方向に流れる流れ通路２２４を形成する。
【００６２】
下側本体部２２２は、上側本体部２２０を通過する空気流から隔離される。下側本体部２２２は、送風機１０と同じユーザ作動可能ボタン１０６、１１０、ダイヤル６８、及びユーザインタフェース制御回路１０８を含む。電気を主制御回路６０に供給するための主電力ケーブル６２は、下側本体部２２２に形成された開口を通って延びる。下側本体部２２２はまた、下側本体部２２２に対して主本体部２２０を首振りするために、全体を符号２２６に示す機構を収容し、遠隔制御器（図示せず）からの信号が送風機２１０に入る窓２２８を含む。
【００６３】
主本体部２２０は、空気入口２１８を通して１次空気流を送風機２１０の中に吸い込むための機構を収容する。１次空気流を送風機２１０の中に吸い込むための機構は、送風機１０で使用する機構と同じであるので、本明細書ではこれ以上説明しない。フィルタは、基部２１２内又は空気入口２１８の周囲に設けられて、１次空気流から微粒子を除去することができる。
【００６４】
ノズル２１４は、環状内側ケーシング部２３２に接続されかつこの周りに延びる環状外側ケーシング部２３０を含む。それらの部分の各々は、複数の接続部から形成することができるが、この実施形態において、外側ケーシング部２３０及び内側ケーシング部２３２の各々は、それぞれの単一の成形部から形成される。内側ケーシング部２３２は、ノズル２１４のボア２３６を形成する。メッシュグリル２６、２８は、ノズル２１４の前端及び後端に接続される。
【００６５】
外側ケーシング部２３０及び内側ケーシング部２３２は、ノズル２１４の環状空気通路２３８を一緒に形成する。従って、空気通路２３８は、ボア２３６の周りに延びる。空気通路２３８は、外側ケーシング部２３０の内周面及び内側ケーシング部２３２の内周面によって境界付けられる。外側ケーシング部２３０は、送風機２１０の基部２１２に接続された基部２４０を含む。外側ケーシング部２３０の基部２４０は、１次空気流がノズル２１４の空気通路２３８に入る入口ポート２４２を含む。
【００６６】
ノズル２１４の空気出口２４４は、送風機２１０の後部の方向に位置付けられる。空気出口２４４は、外側ケーシング部２３０の内周面及び内側ケーシング部２３２の外周面の重なった又は向かい合った部分によって形成される。この実施形態において、空気出口２４４は、実質的に環状であり、図１６に示すように、ノズル２１４を正反対に通過する線に沿って分割した時に実質的にＵ字形断面を有する。本実施例では、外側ケーシング部２３０及び内側ケーシング部２３２は、空気通路２３８が空気出口２４４の方向にテーパがついたような形状にされる。空気出口２４４は、好ましくは、０．５ｍｍから５ｍｍの範囲の比較的一定の幅を有する環状スロットの形態である。
【００６７】
電気集塵器２２の帯電部３０は、ノズル２１４の空気通路２３８に収容される。この実施形態において、電気集塵器は、取外し可能なカートリッジ２４内に位置付けられず、代わりにノズル２１４内に恒久的に収容される。帯電部３０のノズルは、開口２４６を通してボア２３６の中に吸い込まれる空気の中にイオンをスプレーするように、ノズル２１４のボア２３６の後側部を形成する外側ケーシング部２３０の後部の内側部に位置付けられた開口２４６に隣接して位置付けられる。流体を帯電部３０のノズルに供給するための流体リザーバ４２は、ボア２３６の下側部に位置付けられる。第１の電圧供給源はまた、ボア２３６の下側部内又は基部２１２の下側本体部２２２に位置付けることができる。電気集塵器２２の収集部３２は、ノズル２１４のボア２３６に収容される。この場合も、第２の電圧供給源は、ボア２３６の下側部内又は基部２１２の下側本体部２２２に位置付けることができる。
【００６８】
送風機２１０を作動させるために、ユーザは、基部２１２上に位置付けられたボタン１０６を押圧する。ユーザインタフェース制御回路１０８は、この作動を主制御回路６０に伝え、それに応答して主制御回路６０は、モータ６４を起動してインペラ６６を回転させる。インペラ６６の回転により、基部２１２において空気入口２１８を通して１次空気流を送風機２１０の中に吸い込ませる。空気流は、空気通路２２４を通過し、空気入口ポート２４２を通してノズル２１４の空気通路２３８に入る。
【００６９】
空気通路２３８内で、１次空気流は、ノズル２１４のボア２３６の周囲で反対方向に向う２つの空気の流れに分けられる。空気の流れが空気通路２３８を通過すると、空気は、空気通路２３８のテーパのついた部分に入り、空気出口２４４から噴出される。空気通路２３８のテーパのついた部分の中への空気流は、ノズル２１４のボア２３６の周りで実質的に均等である。１次空気流は、内側ケーシング部２３２の外面の上で外側ケーシング部２３０と内側ケーシング部２３２の重なった部によってノズル２１４の前端に差し向けられる。この実施形態において、空気出口２４４は、空気を電気集塵器２２の収集部３２の周囲に噴出するように電気集塵器２２に対して配置される。
【００７０】
第１の実施形態と同様に、空気出口２４４からの空気流の噴出により、外部環境からの空気の同伴によって２次空気流を発生させる。空気は、ノズル２１４のボア２３６を通して、ノズル２１４の周囲及びその前部の両方の環境から空気流の中に吸い込まれる。ノズル２１４のボア２３６を通して引き込まれた空気流は、電気集塵器２２の帯電部３０を通過し、かつ収集部３２のプレート４６の間の空気チャンネルを通過する。２次空気流は、ノズル２１４から噴出する空気流と合体し、送風機１０から前方に放出される合体又は全体空気流又は空気の流れを生成する。
【００７１】
ノズル２１４のボア２３６を通して引き込まれた空気から微粒子を除去するために、ユーザは、送風機２１０の基部２１２上に位置付けられたボタン１１０を押圧することによって電気集塵器２２を起動する。ノズル２１４のボア２３６を通して引き込まれた空気からの微粒子の除去は、ノズル１４のボア２０を通して引き込まれた空気からの微粒子の除去と類似の方式で実施され、空気がボア２３６を通過すると、空気内の微粒子は、電気集塵器２２の帯電部３０のノズル３６からのイオンの噴出によって帯電され、電気集塵器２２の収集部３２のプレート４６上に収集される。
【００７２】
送風機１０、２１０のいずれにおいても、電気集塵器２２の収集部３２は省くことができ、そのために送風機１０、２１０は、ノズルのボアを通して引き込まれた空気内の微粒子を帯電するための帯電部３０のみを含む。これは、電気集塵器２２をノズルのボアを通して引き込まれた空気を処理する空気イオン化器に変換することができる。
【符号の説明】
【００７３】
１０  送風機
１４、３６  ノズル
２０  ボア
３０  帯電部
３２  収集部
６２  ケーブル
【図１】
0005484612.tif 000002
【図２】
0005484612.tif 000003
【図３】
0005484612.tif 000004
【図４】
0005484612.tif 000005
【図５】
0005484612.tif 000006
【図６】
0005484612.tif 000007
【図７】
0005484612.tif 000008
【図８】
0005484612.tif 000009
【図９】
0005484612.tif 000010
【図１０】
0005484612.tif 000011
【図１１】
0005484612.tif 000012
【図１２】
0005484612.tif 000013
【図１３】
0005484612.tif 000014
【図１４】
0005484612.tif 000015
【図１５】
0005484612.tif 000016
【図１６】
0005484612.tif 000017